(57)【要約】【課題】本実施形態では、ユーザが興味を有する番組を番組表の中から容易に見つけ出すことができる、また使い勝手のよい番組情報処理装置及び番組情報処理方法を提供することを目的とする。【解決手段】実施形態によれば、番組を特定するための検索用情報が登録される登録部と、表示された番組表を形成しているセルの番組情報に、前記検索用情報に対応する被検出情報が含まれていた場合、前記セルに対して識別表示を与える関連情報処理部と、を有する。【選択図】図１
2013207728.tif 000002
【特許請求の範囲】
【請求項１】
番組を特定するための検索用情報が登録される登録部と、
表示用の番組表を形成しているセルの番組情報に、前記検索用情報に対応する被検出情報が含まれていた場合、前記セルに対して識別情報を与える関連情報処理部と、
を有する番組情報処理装置。
【請求項２】
前記検索用情報は、前記番組情報に含まれる被検出情報に一致又は類似するキーワード、マーク、図形の何れか１つ又は複数である請求項１記載の番組情報処理装置。
【請求項３】
前記識別情報は、前記被検出情報に対してハイライト、強調、着色、背景への着色を与える何れか１つ又は複数による識別情報である請求項１記載の番組情報処理装置。
【請求項４】
前記番組表を表示する表示部をさらに備え、
前記表示部、前記登録部及び前記関連情報処理部は、携帯端末に含まれている請求項１記載の番組情報処理装置。
【請求項５】
前記番組表を表示する表示部をさらに備え、
前記表示部、前記登録部及び前記関連情報処理部は、テレビジョン受信装置に含まれている請求項１記載の番組情報処理装置。
【請求項６】
前記関連情報処理部は、前記検索用情報の編集入力を受け付ける請求項１記載の番組情報処理装置。
【請求項７】
前記番組表を表示部に表示するための表示処理部を有し、
前記表示処理部は、キーワードに関連した番組に対応しているセルにのみ番組案内を表示し、キーワードに関連していない他のセルはブランクにする請求項１記載の番組処理装置。
【請求項８】
前記番組表を表示部に表示するための表示処理部を有し、
前記表示処理部は、
キーワードに関連した番組に対応しているセルにのみ番組案内を示し、キーワードに関連していない他のセルはブランクにした第１の番組表と、
キーワードに関連した番組に対応しているセル、及びキーワードに関連していない他のセルにそれぞれ番組案内を示し、キーワードに関連した番組に対応しているセルには、前記識別情報を与えている第２の番組表と、
前記キーワードに関連した番組の番組案内を示したリストと、
を表示可能であり、操作入力に応じて、前記第１の番組表、前記第２の番組表、前記リストの表示状態を切り換える、
請求項１記載の番組情報処理装置。
【請求項９】
番組を特定するための検索用情報が登録される登録部と、表示用の番組表を形成しているセルに対して識別情報を与える関連情報処理部とを有し、
前記セルの番組情報に、前記検索用情報に対応する被検出情報が含まれていた場合、前記セルに対して識別情報を与える、
番組情報処理方法。
【請求項１０】
前記検索用情報は、前記番組情報に含まれる被検出情報に一致又は類似するキーワード、マーク、図形の何れか１つ又は複数であり、
前記識別情報は、前記被検出情報に対してハイライト、強調、着色、背景への着色を与える何れか１つ又は複数による識別情報であり、
前記番組表を携帯端末若しくはテレビジョン受信装置の何れかの表示部に表示する
請求項９に記載の番組情報処理方法。
【発明の詳細な説明】
【技術分野】
【０００１】
本発明の実施形態は番組情報処理装置、番組情報処理方法に関する。
【背景技術】
【０００２】
最近、デジタルテレビジョン放送で放映されている複数のチャンネルのテレビジョン番組を、複数日に渡って記録できる情報記録装置（テレビジョン受信装置に内蔵されているもの、テレビジョン受信装置に接続可能なもの、或いはスタンドアローンのものがある）が発売されている。この種の情報記録装置では、多数のテレビジョン番組の番組情報を、番組表として管理する必要がある。番組情報は、一般的には、放送信号に含まれている電子番組案内（ＥＰＧ）情報から取得されることができ、受信装置では、表示のための番組表として構築される。ＥＰＧ情報には、未来（例えば１ヶ月先）に放送される番組の番組情報も含まれている。
【０００３】
上記の情報記録装置においては、複数のチャンネルで放送される全ての番組が、複数日に渡って記録される。この場合、視聴を希望する番組をユーザが選択するためには、膨大な数の番組の中から選択しなければならない。また、ユーザが、番組表を参照して、所望の番組を探すには大変な労力と時間を要する。
【０００４】
上記の労力を低減する手法として、ユーザが希望のジャンルを予め番組表の制御部に設定する方法がある。設定したジャンルに一致するジャンルの番組を案内する番組表が表示されたとき、当該番組の案内欄が強調表示される。
【０００５】
また、番組検索が目的ではないが、電子文書の中から複数のキーワードに類似する類義語をデータベースから抽出する装置もある。抽出された類義語は、表示処理される。
【先行技術文献】
【特許文献】
【０００６】
【特許文献１】特開２００７−１９９２７号公報
【特許文献２】特開２００５−８４８７９号公報
【発明の概要】
【発明が解決しようとする課題】
【０００７】
上記したように情報記録装置において、複数のチャンネルで放送される全ての番組が、複数日に渡って記録された場合、ユーザが視聴を希望する番組を選択するためには、膨大な数の番組の中から選択しなければならない。また、ユーザが、番組表を参照して、所望の番組を探すには大変な労力と時間を要する。このために番組を探すためのさらなる労力の軽減と、使い勝手の向上が望まれている。
【０００８】
そこで本実施形態では、ユーザが興味を有する番組を番組表の中から容易に見つけ出すことができる番組情報処理装置及び番組情報処理方法を提供することを目的とする。また使い勝手のよい番組情報処理装置及び番組情報処理方法を提供することを目的とする。
【課題を解決するための手段】
【０００９】
実施形態によれば、番組を特定するための検索用情報が登録される登録部と、表示された番組表を形成しているセルの番組情報に、前記検索用情報に対応する被検出情報が含まれていた場合、前記セルに対して識別表示を与える関連情報処理部と、を有する。
【図面の簡単な説明】
【００１０】
【図１】実施形態が適用されたテレビジョン装置の構成例を示す図である。
【図２】実施形態における一動作での表示例を示す図である。
【図３】実施形態における動作例を示すフロー図である。
【図４】実施形態におけるキーワード登録例を説明する図である。
【図５】実施形態における一動作での他の表示例を示す図である。
【図６】実施形態における一動作でのさらに他の表示例を示す図である。
【図７】実施形態におけるキーワード登録・編集の例を説明する図である。
【図８】実施形態におけるキーワード登録・編集の他の例を説明する図である。
【図９】実施形態における番組表の表示例を示す図である。
【図１０】実施形態における番組表の他の表示例を示す図である。
【図１１】番組情報の格納例を示す図である。
【発明を実施するための形態】
【００１１】
以下、実施の形態について図面を参照して説明する。図１は、本実施形態に関わるテレビジョン受信装置の構成例を示すブロック図である。
【００１２】
テレビジョン受信装置は、例えばスクランブルされたデジタル地上波放送信号を受信する複数のチューナを含むデジタルチューナ装置１０２を有する。デジタルチューナ装置１０２は例えばＢＳ／ＣＳデジタル放送受信用のチューナ（図示せず）を含んでも良い。
【００１３】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１４】
記憶装置１１１は、例えば、ハードディスクドライバー、光ディスク記録再生装置を含む。光ディスクにはデジタルバーサタイルディスク（ＤＶＤ）、ブルーレイディスク（ＢＤ）などが含まれる。
【００１５】
ＴＳ処理部１２２から制御部２００に送られるパケットは、例えば、放送番組の暗号化情報であるＥＣＭ（Entitlement Control Message）と、番組名、出演者、番組開始時刻などのイベント情報を記述したテーブルであるＥＩＴ（Event Information Table）などの情報、ＥＰＧ（Electric Program Guide：電子番組ガイド）情報を含む。ＥＰＧ情報はスポンサー情報を含む場合もある。
【００１６】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ  方式、ＭＰＥＧ方式などでエンコードされている。ＡＶデコーダ１２６は、番組の映像パケットと、オーディオパケットを分離し、各パケット内のデータを各方式に応じてデコードする。
【００１７】
したがって、ＴＳ処理部１２２で分離されたパケットの中でオーディオデータを含むパケットは、オーディオデコーダ１２３に入力される。オーディオデコーダ１２３で、パケット内のデータは、符号化方式に応じて復号化される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１８】
ＴＳ処理部１２２で分離されたパケットの中で映像データを含むパケットは、映像デコーダ１３１に入力される。映像デコーダで、パケットのデータは符号化方式に応じて復号化される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００からオンスクリーンディスプレイ（ＯＳＤ）部２４０を介して入力されるデータ、図形、番組表などをメイン映像信号に多重することができる。
【００１９】
また映像出力部１３３は、出力映像信号に対して表示器１３４に応じたスケール、解像度、ライン数、アスペクト比などを設定して、表示器１３４に向けて出力する。
【００２０】
なお、有料番組のオーディオパケット、映像パケットが暗号化されている場合もある。この場合、鍵情報を用いて暗号化を解くための処理系統もあるがここでは省略している。
【００２１】
制御部２００は、中央演算処理ユニット（ＣＰＵ）２０１、操作コマンド処理部２０２、通信制御部２０３、操作デバイス管理部２０４、ＥＰＧ(Electric program guide)データ処理部２０６、表示処理部２１１、メモリ２１２を含む。
【００２２】
またキーワード関連情報処理部２２２、キーワード登録部２２３、ＣＭ処理部２２５を含む。さらに記録制御部などを含むがここでは示していない。
【００２３】
キーワード関連情報処理部２２２、キーワード登録部２２３は、表示器１３４に番組表が表示されたときに、キーワードに関連する番組案内部分（セル）を視聴者が見つけやすくすることができる。キーワード関連情報処理部２２２、キーワード登録部２２３については、さらに後で詳しく説明する。
【００２４】
ＥＰＧ処理部２０６は、ＴＳに含まれるパケットから番組情報を取り出して蓄積することで、例えば過去１ヶ月分、現在、及び未来１か月分の番組の番組情報を保持している。この番組情報は、例えば１日毎に更新される。
【００２５】
ＣＰＵ２０１は、制御部２００の全体の動作シーケンスの調整を行っている。操作コマンド処理部２０２は、外部から入力する操作コマンドを解析し、コマンドに応じた動作をテレビジョン受信装置１００に反映させることができる。操作デバイス管理部２０４は、制御部２００に対して操作信号を与える携帯端末５００，５０１、リモートコントローラ１１５などのデバイス識別データを把握し、入力受付、受付拒否などの管理することができる。
【００２６】
表示処理部２１１は、映像出力部１３３を介して表示器１３４に表示される映像信号を全般的に制御することができる。また表示処理部２１１は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。メモリ２１２は、制御部２００内で保存する各種のデータ、アプリケーションなどを保存することができる。
【００２７】
通信制御部２０３は、外部との通信を行い、操作コマンド、データ、コンテンツ、などを取り込むことができる。取り込まれたコンテンツ、及びデータは、例えば記憶装置１１１、或いはメモリ２１２に格納されることができる。通信制御部２０３は、テレビジョン受信装置１００から外部に向けて、データ、コンテンツ、などを送信することができる。
【００２８】
通信制御部２０３は、無線通信送受信部１１３、有線通信送受信部１１２と接続されている。有線通信送受信部１１２は、インターネットを介して、遠隔サーバー、或いはホームサーバーとの間でデータの送受信を行うことができる。無線通信送受信部１１３は、複数の携帯端末５００、５０１との間でデータ、コンテンツ等の送受信を行うことができ、近距離通信用である。また、テレビジョン受信装置１００は、リモートコントローラ１１５からの操作信号を、赤外線受信部１１４を介して受け取ることもできる。
【００２９】
携帯端末５００、５０１は、テレビジョン受信装置１００をリモートコントロールすることもできる。
【００３０】
携帯端末５００、５０１は、図示しない基地局、インターネットなどを介してサーバーをアクセスすることができる。サーバーが提供するコンテンツは勿論のこと、各種のアプリケーション、ゲームソフトなどをダウンロードし、無線通信送受信部１１３を介して、制御部２００に転送することが可能である。また携帯端末５００、５０１は、コンテンツを取得するための情報（例えばウェブサーバーのアドレス、メールアドレス、ネットワークアドレスなど）を、無線通信送受信部１１３を介して、制御部２００に転送することが可能である。
【００３１】
携帯端末５００や５０１からコンテンツ、アプリケーション、或いはゲームソフトが転送されてくるときは、通信制御部２０３が動作する。
【００３２】
通信制御部２０３は、受け取ったコンテンツをメモリ２１２に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００３３】
メニュー映像信号、番組表の映像信号などは、表示処理部２１１にて格納及びまたは管理されている。メニューの表示、番組表の表示が行われるときは、メニュー画面データ、番組表データが、ＣＰＵ２０１の制御に基づき、データ格納部（メモリ或いはハードディスク）から読み出され、表示処理部１２８に供給される。これにより、メニューや番組表の画像が表示器１３４に表示される。
【００３４】
メニュー映像信号、番組表の映像信号などは、携帯端末５００或いは５０１に送信されることもできる。携帯端末５０１或いは５０２がメニュー、番組表などを要求した場合、ＣＰＵ２０１の制御に基づき表示処理部２１１は、メニューの映像信号、番組表の映像信号を送信することができる。
【００３５】
携帯端末５０１或いは５０２は、メニュー、番組表をタッチ式パネルの画面に表示することができ、ユーザは、タッチ（或いはポイント）式パネルの画面に表示された操作ボタンに触れることにより、テレビジョン受信装置に動作指令信号を与えることができる。後述するように、ユーザは、携帯端末５０１或いは５０２を利用して、番組表、キーワードに関連するデータ処理を実行させることができる。
【００３６】
図２は、上記のテレビジョン受信装置において、番組表が表示された場合の特徴な代表例を示している。
【００３７】
表示器１３４に、番組表が表示されている。番組表は、一点鎖線で示す領域が拡大されて、図２の下の段に示されている。番組表４００は、行及び列方向に配列された複数のセルで構成され、横方向はチャンネル番号により区分されて、縦方向は時間により区分されている。各セル内には、対応するチャンネル及び時間帯の番組の案内が表示されており、この案内は、番組情報から作成されたものである。
【００３８】
番組の案内としては、種々の形態があり、ジャンルの識別、番組名、タイトル名、がある。さらに出演者名、マーク、記号、スポンサー名などが表示されることもある。
【００３９】
図２の下段には、セルＣ１−Ｃ６が代表して示されている。チャンネル“０４１”のセルＣ１には、番組案内のジャンルとして「日本のニュース」、タイトルとして「Ｔ社の庭、桜満開」が表示されている。セルＣ２には、番組案内のジャンルとして「ドラマ」、タイトルとして「京都の夜、ホテルでの出会い」が表示されている。
【００４０】
またチャンネル“０５１”のセルＣ３には、番組案内のジャンルとして「朝日ニュース」、タイトルとして「朝日地方で、列車事故」が表示されている。セルＣ４には、番組案内のジャンルとして「地震の影響」、タイトルとして「ボランティア活動」が表示されている。チャンネル“０７１”のセルＣ５には、番組案内のジャンルとして「東京ニュース」、タイトルとして「天気予報」が表示されている。セルＣ６には、番組案内のジャンルとして「家電情報」、タイトルとして「高性能掃除機、進化した冷蔵庫」が表示されている。
【００４１】
ここで、キーワードとして、「Ｔ社」が登録されているものとする。すると、セルＣ１においては、「Ｔ社の庭、桜満開」が表示されているので、「Ｔ社」の文字４１１が強調或いは着色されるか、或いは強調及び着色され、視聴者に目立つように表示される。
【００４２】
この結果、ユーザは、直ぐに、セルＣ１に注意を注ぐことができる。セル内にキーワードである文字が表示されないが、番組情報に含まれている場合もある。例えば、「Ｔ社」がスポンサーとなっていたり、「Ｔ社」の製品に関する番組である場合もある。このような場合は、セルＣ２、Ｃ６に示すようにポップアップ表示４１２、４１３が得られる。ポップアップ表示４１２、４１３には、例えば「スポンサーＴ社」、「Ｔ社製品」などと表示される。これにより、ユーザは、キーワード「Ｔ社」に関連する番組の案内を、番組表の中から即座に見出すことができる。
【００４３】
図３には、キーワードが登録されている状態において番組表が表示器１３４に表示されたとき、キーワードに対応する文字列を番組情報の中から検出するためのフローチャートの例を示している。このフローチャートは、図１に示したＣＰＵ２０１、キーワード関連情報処理部２２２、キーワード登録部２２３、メモリ２１１、表示処理部２１２、ＯＳＤ部２４０などの連携により実行される。
【００４４】
番組表の表示を行う（ステップＳＡ１）。表示する指定時間内の番組情報を取得する（ステップＳＡ２）。つまり例えば図２の例であると、時間１８時から１９時までの番組に関する番組情報を、ＥＰＧデータ処理部２０６からメモリ２１１に一時的に取り込む。次に、最初に処理するチャンネル番号を当該番組情報の中から取得する（ステップＳＡ３）。
【００４５】
次に、取得した番組情報にキーワード登録した文字列が含まれているか検索する（ステップＳＡ５）。キーワード登録した文字列が含まれていない場合は、通常の番組情報を案内として対応するセルに表示する（ステップＳＡ６）。キーワード登録した文字列が含まれている場合は、番組情報内のキーワードを強調して対応するセルに表示する（ステップＳＡ７：図２のセルＣ１参照）。
【００４６】
次に、当該チャンネルの次の番組が、番組表を表示する指定時間内に含まれているかどうかを判定する（ステップＳＡ８）。ハイの場合、つぎの番組の番組情報を取得して、ステップＳＡ５に戻る。ステップＳＡ８で、当該チャンネルの次の番組が、番組表を表示する指定時間内に含まれていないと判断された場合、表示のために処理対象となる次のチャンネルがあるかどうかを判定する（ステップＳＡ１０）。次のチャンネルが無い場合は、処理を終了し（ステップＳＡ１２）、次のチャンネルがある場合、そのチャンネル番号を取得し、ステップＳＡ４に戻る。
【００４７】
上記の番組情報処理により、図２で説明したような表示が実現される。図３のフローチャートでは、キーワード文字列を強調するとして、説明したが、図２で説明したように、ポップアップ表示を行ってもよい。
【００４８】
図４（Ａ）は、図２で示したように番組表上で強調表示されるべきワードをキーワードとして登録するための画面の例を示している。図４（Ａ）のキーワード登録画面は、例えば、次のように読みだされる。メニュー画面において、「番組ＮＡＶｉ」の項目の中に「番組ナビゲーション設定」項目があるので、この「番組ナビゲーション設定」項目がカーソルで選択され、決定ボタンが操作される。ユーザは、キーワード（検索用ワードと称しても良い）を入力したい入力エリアをカーソルにより選択することができる。ユーザは、入力エリアがカーソルで選択されているとき、例えばリモートコントローラのキーを操作して、キーワードとして入力することができる。図４（Ａ）の例では、第１の入力エリアに「Ｔ社」が入力され、第２のエリアに「モーツアルト」が入力された例を示している。キーワードの入力は、例えばキーボードをテレビジョン受信装置に接続して、キーボードを操作することにより行うことも可能である。
【００４９】
図４（Ｂ）は、他の実施形態である。図４（Ａ）は登録したキーワード（検索用ワードと称しても良い）に一致するワード（被検出ワードと称しても良い）が番組表上に存在した場合、この被検出ワードを強調表示する実施形態であった。
【００５０】
図４（Ｂ）の実施形態は、キーワードに一致する被検出ワードを強調表示するか否かを特定できる、また被検出ワードに色を指定できる。そのために、キーワード入力エリアに対して、強調設定エリア、色設定エリアが付加されている。ユーザは、強調設定、色設定を行うときは、所望のエリアの選択ボタンにカーソルを移動させた状態で、選択ボタンをクリック操作することで、強調設定の有無、色選択を行うことができる。ユーザが、強調設定、色選択を行った後、決定ボタンを操作すると、番組表上で表示される被検出ワードの強調状態及び色が決まる。強調設定エリア、色設定エリアには、設定状態がわかるように、記号及び色が表示される。
【００５１】
図５（Ａ）−（Ｄ）は、被検出ワードが存在するセルＣ１において、各種の表示例を示している。図５（Ａ）は、「Ｔ社」が強調され、セルＣ１の背景エリアが着色された例である。図５（Ｂ）は、強調なしで「Ｔ社」の文字が着色された例である。図５（Ｃ）は、「Ｔ社」が強調され、かつ「Ｔ社」が着色された例である。図５（Ｄ）は、「Ｔ社」が強調され、セルＣ１の枠が太く表示された例である。
【００５２】
図６（Ａ）−（Ｄ）は、ポップアップ表示の各種表示形態の例を示している。図６（Ａ）は、ポップアップ表示４１２のエリア内が着色された例である。図６（Ｂ）は、ポップアップ表示４１２のエリア内の文字「Ｔ社」が着色された例である。図６（Ｃ）は、ポップアップ表示４１２のエリア内の文字「Ｔ社」が着色され、かつ強調された例である。
【００５３】
上記したように、番組表上において、キーワードに一致する被検出ワードの表示形態は各種可能である。
【００５４】
なお、「キーワード」は、その呼び名が限定されるものではなく、「検索用情報」、「検出用情報」、「サーチデータ」、「比較用データ」などと称されてもよい。「被検出ワード」は、その呼び名が限定されるものではなく、「被検出情報」、「キャプチャードデータ」、「キャプチャードワード」、「キーワード対応データ」、「抽出データ」などと称されても良い。
【００５５】
またキーワードは、番組情報に含まれる被検出情報に一致又は類似するマーク、図形の何れか１つ又は複数であってもよい。
【００５６】
図７は、ユーザが多くのキーワードを登録した後、時間が経過すると、キーワードの整理を必要とする場合がある。つまりキーワードの取り消しを必要としたり、キーワードの確認を必要とする場合がある。この場合、キーワードチェック画面が例えば以下のように読み出される。メニュー画面において、「番組ＮＡＶｉ」の項目の中にさらに「キーワードチェック」項目があるので、この「キーワードチェック」項目がカーソルで選択され、決定ボタンが操作される。キーワード関連情報処理部２２２の制御の元で、キーワード登録部２２３に登録されているキーワードが読み出され、キーワードチェック画面に、例えば頭文字がＡＢＣ・・・の優先順位で表示される。スクロールボタン４２１が操作されると、画面上で複数のキーワードをスクロールさせることができる。
【００５７】
キーワードエリアの右側には、登録エリア、取り消しエリア、消去エリアが配置されている。ユーザが、登録エリアにカーソルを移動させて、決定ボタンを押すと、対応するキーワードのキーワード登録部への登録が実行される。ユーザが、否使用エリアにカーソルを移動させて、決定ボタンを押すと、対応するキーワードは使用されない状態となる。この場合は、キーワード自体は、登録部に残されるが、検索用としては使用されないことを意味する。この機能は、入力されたキーワードの復活の可能性を残すことができる。ユーザが、消去エリアにカーソルを移動させて、決定ボタンを押すと、対応するキーワードは、完全に消去される。また、カーソルがキーワードエリアに移動した状態で、キーワードの編集入力を行うことも可能である。キーワード関連情報処理部２２２、ＣＰＵ２０１の制御に基づいて上記の編集が実行される。
【００５８】
このようにキーワードの編集が行えることにより、キーワードを限定した内容にしたり、拡張した内容に変更することができる。キーワードが限定された内容であると、被検出ワードが検出されにくい場合があり、ヒットする番組が少ないことがある。またキーワードが単純な広い範囲の内容であると、多くの被検出ワードが検出され、番組を絞りきれない場合がある。
【００５９】
キーワードの編集が行われた後は、自動的にキーワードに対応する被検出ワードのサーチが実行される。またキーワードが消去された場合、及び否使用に設定された場合は、対応する被検出ワードに対する強調、着色などの付加処理が解除される。
【００６０】
図８は、キーワードの入力方法の他の実施形態を示している。例えば、キーワード登録画面に、キーボードの画像４３０が表示された例である。ユーザは、キーボードの画像４３０のキーを、カーソルで選択して、決定ボタンを押すことで、キーワードを入力することができる。入力したキーワードは、キーワードエリアに表示される。所望のキーワードが入力されたとき、ユーザは、登録エリアにカーソルを移動させて、決定ボタンを操作すると、登録マークが表示される。
【００６１】
タブレット、携帯端末などのように表示部が、タッチ式入力部として利用されているデバイスは、キーボードの画面４３０が直接、指により操作される。
【００６２】
図９は、番組表４００の表示例を示しており、この表示は表示処理部２１２が主となって実行する。この例は、キーワードに関連した番組に対応しているセルＣ１、Ｃ２にのみ番組案内が表示され、キーワードに関連していない他のセルＣ３，Ｃ４は、ブランク表示される例である。また、キーワード（被検出ワード）が番組情報に含まれるが、セル内に直接表示されていない場合は、セルＣ２のように、セルＣ２の背景が着色された例である。セルＣ２にカーソルが移動され、クリックボタンでクリックされると、ポップアップ表示が得られ、この表示内に被検出ワードが表示される。
【００６３】
上記のような表示形態であると、ユーザは、キーワードに関連している番組を番組表の中で直ぐに見つけることができる。
【００６４】
図１０は、番組表４００の表示形態と、キーワード対応番組リストの表示形態が例えばサイクリックに切換る実施形態を示している。この表示は表示処理部２１２が主となって実行する。
【００６５】
表示例（ａ）は、キーワードに関連した番組に対応しているセルにのみ、番組案内が表示され、キーワードに関連していない他のセルは、ブランクとなる例である。かつこの場合、再生番組選択のためのカーソル（図の例ではセルの枠が太く表示される）は、例えばリモートコントローラのカーソルボタン（或いは矢印ボタン）を押すことにより、番組案内しているセルから次の番組案内している他のセル間をジャンプして移動する。これで、再生番組を選択するために、セル間を移動するカーソルの移動時間が短時間となる。
【００６６】
ここで、リモートコントローラ１１５のスキップキーが操作されると、表示例（ｂ）のように、キーワードに関連した番組案内を配列した番組リストが表示される。番組リスト上で、カーソルを移動させることができる。表示例（ｂ）では、枠が太く表示された１つの番組案内エリアにカーソルが存在する。ここでカーソルを所望の番組案内エリアに移動させて、決定ボタンを押すと、当該番組の再生が可能である。表示例（ｂ）の状態から、リモートコントローラ１１５のスキップキーが操作されると、表示例（ｃ）の番組表が表示される。この表示例（ｃ）では、表示例表示例（ａ）において、ブランクであったセルにも、対応する番組案内が表示される。そして、キーワードに関連した番組に対応しているセルには、例えば背景が着色されて表示される。この表示状態では、カーソルの移動はジャンプすることなく、セル単位で隣のセルへ移動することができる。表示例（ｃ）の状態から、リモートコントローラ１１５のスキップキーが操作されると、再び表示例（ａ）の番組表が表示される。
【００６７】
上記の表示器１３４が、例えばタッチ式入力を採用した携帯端末（携帯電話デバイス、タブレット等）の場合、サイクルボタン４２５にタッチ操作することで、上述したサイクリック表示を得ることができる。
【００６８】
図１１は、番組情報を用いて作成された番組情報ファイルの状態例を示す説明図である。放送信号と共に送られてくる番組情報は、ＥＰＧデータ処理部２０６処理され、ここでは番組表データファイルが作成される。番組表データファイルは、ＥＰＧデータ処理部２０６内のメモリ、或いはメモリ２１１、或いは記憶装置１１１に格納される。ある以下放送信号と共に送られてくる番組情報を用いて構築される。図１１は、現在の日時を例えば２０１２年４月９日（月）として表現している。番組情報は、例えば現在から１週間、或いは１ヶ月の未来の分まで送られてくる。
【００６９】
図１１の番組表データファイルの縦軸は日時（過去、現在、未来）、横軸はチャンネル０４１，０５１・・・・０７１を示しているが、このようなフォーマットに限定されるものではなく、番組情報がデータベースとして存在し、番組表を作成する際に、番組情報の任意の区分を日時で指定可能であればよい。
【００７０】
上記したキーワード登録部２２３のキーワードはさらに次のように活用されてもよい。例えばＣＭ処理部２２５は、番組の途中に挿入されあコマーシャル区間の映像信号を本編の映像信号から抽出することができる。また、ＣＭ処理部２２５は、コマーシャル区間のＣＭ映像信号をコマーシャルファイルとして、記憶装置１１１、或いはメモリ２１１に格納することができる。記憶装置１１１或いはメモリ２１１に格納されたＣＭ映像信号に、ＣＭ処理部２２５は、キーワードに対応する文字列、図形、マークなどがＣＭ映像信号に含まれている場合、対応する文字列、図形、マークをハイライト、強調、着色するようにしてもよい。したがって、コマーシャルファイルのＣＭ映像信号をはや送り再生し、キーワードに基づいて所望のシーンをサーチすることも可能となる。また、キーワードの編集機能と合わせて、コマーシャルの種々のシーンをサーチすることができる。
【００７１】
ＣＭ処理部２２５は、上記の処理を実現するために、映像信号内の文字認識プロセッサを備えることができる。認識された文字コードは、被検出用ワードとして利用される。
【００７２】
キーワードは、さらにデータ放送の情報に被検出用ワードが含まれている場合も、当該被検出用ワードをサーチするために利用することも可能である。
【００７３】
上記した実施形態は、方法、情報記憶媒体及びプログラムとしての発明を含むものである。番組処理方法は、番組を特定するための検索用情報が登録される登録部と、表示用の番組表を形成しているセルに対して識別情報を与える関連情報処理部と備える装置において、番組処理方法は、前記セルの番組情報に、前記検索用情報に対応する被検出情報が含まれていた場合、前記セルに対して識別情報を与えるものである。
【００７４】
また上記の番組情報処理方法において、前記検索用情報は、前記番組情報に含まれる被検出情報に一致又は類似するキーワード、マーク、図形の何れか１つ又は複数であり、
前記識別情報は、前記被検出情報に対してハイライト、強調、着色、背景への着色を与える何れか１つ又は複数による識別情報であり、
前記番組表を携帯端末若しくはテレビジョン受信装置の何れかの表示部に表示する方法である。
【００７５】
さらに情報記憶媒体は、コンピュータ読み取り可能な記憶媒体であって、前記セルの番組情報に、前記検索用情報に対応する被検出情報が含まれていた場合、前記セルに対して識別情報を与えるインストラクションを記憶する記憶媒体である。さらにまた、プログラムは、上記情報記憶媒体の前記インストラクションに従って上記コンピュータを動作させるプログラムである。
【００７６】
上記した説明において、受信部、管理部、処理部、制御部、通信登録部、出力部など用語において「部」は、「手段」、「装置」、「器」、「ブロック」及び「モジュール」に置き換えても本発明の範疇であることは勿論である。さらにまた、請求項の各構成要素において、構成要素を分割して表現した場合、或いは複数を合わせて表現した場合、或いはこれらを組み合わせて表現した場合であっても本発明の範疇である。また請求項を方法として表現した場合であっても本発明の装置を適用したものである。
【００７７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７８】
１００・・・テレビジョン受信装置、１３４・・・表示部、２００・・・制御部、２０１・・・ＣＰＵ、２０２・・・コマンド処理部、２０６・・・ＥＰＧデータ処理部、２１１・・・メモリ、２１２・・・表示処理部、２２２・・・キーワード関連情報処理部、２２３・・・キーワード登録部、２４０・・・ＯＳＤ部。
【図１】
2013207728.tif 000003
【図２】
2013207728.tif 000004
【図３】
2013207728.tif 000005
【図４】
2013207728.tif 000006
【図５】
2013207728.tif 000007
【図６】
2013207728.tif 000008
【図７】
2013207728.tif 000009
【図８】
2013207728.tif 000010
【図９】
2013207728.tif 000011
【図１０】
2013207728.tif 000012
【図１１】
2013207728.tif 000013